(57)【要約】【課題】  画像ファイルを所有している所有者が、当該画像ファイルを引継先に引き継ぐことができる仕組みを提供すること。【解決手段】  記憶手段に記憶されている画像情報と、画像情報により示される画像ファイルの引継先を示す引継先情報を受け付け、当該画像情報と引継先情報とを受け付けた場合に、当該画像情報により示される画像ファイルの所有者を示す所有者情報に関連して、引継先情報を設定し、当該画像管理情報に含まれる画像情報により示される画像ファイルの閲覧要求を受信した場合に、当該画像管理情報に含まれる引継先情報に従って、画像ファイルの閲覧の可否を決定することを特徴とする。【選択図】図７
2014131235.tif 000002
【特許請求の範囲】
【請求項１】
画像ファイルを示す画像情報と、当該画像ファイルの所有者を示す所有者情報と、を含む画像管理情報を記憶する記憶手段と、
前記記憶手段に記憶されている画像情報と、前記画像情報により示される画像ファイルの引継先を示す引継先情報を受け付ける引継先受付手段と、
前記引継先受付手段により前記画像情報と前記引継先情報とを受け付けた場合に、前記引継先受付手段により受け付けた画像情報により示される画像ファイルの所有者を示す、前記画像管理情報に含まれる所有者情報に関連して、前記引継先受付手段により受け付けた引継先情報を設定する引継先設定手段と、
前記記憶手段に記憶された画像管理情報に含まれる画像情報により示される画像ファイルの閲覧要求を受信した場合に、当該画像管理情報に含まれる引継先情報に従って、前記画像ファイルの閲覧の可否を決定する決定手段と、
を備えることを特徴とする情報処理装置。
【請求項２】
前記記憶手段に記憶された画像管理情報は、画像ファイルの格納場所を示す格納場所情報を更に記憶し、
前記引継先受付手段で引継先情報を受け付けた画像情報により示される画像ファイルが、前記引継先受付手段により受け付けた引継先情報により示される引継先に格納される格納場所情報を受け付ける格納場所受付手段と、
前記引継先受付手段で引継先情報を受け付けた画像情報により示される画像ファイルにおける、前記記憶手段に記憶された画像管理情報に含まれる格納場所情報を、前記格納場所受付手段により受け付けた格納場所情報に設定する格納場所設定手段と、
を更に備えることを特徴とする請求項１に記載の情報処理装置。
【請求項３】
画像ファイルを示す画像情報と、当該画像ファイルの所有者を示す所有者情報と、を含む画像管理情報を記憶する記憶手段を備えた情報処理装置の制御方法であって、
引継先受付手段が、前記記憶手段に記憶されている画像情報と、前記画像情報により示される画像ファイルの引継先を示す引継先情報を受け付ける引継先受付工程と、
引継先設定手段が、前記引継先受付工程により前記画像情報と前記引継先情報とを受け付けた場合に、前記引継先受付工程により受け付けた画像情報により示される画像ファイルの所有者を示す、前記画像管理情報に含まれる所有者情報に関連して、前記引継先受付工程により受け付けた引継先情報を設定する引継先設定工程と、
決定手段が、前記記憶手段に記憶された画像管理情報に含まれる画像情報により示される画像ファイルの閲覧要求を受信した場合に、当該画像管理情報に含まれる引継先情報に従って、前記画像ファイルの閲覧の可否を決定する決定工程と、
を備えることを特徴とする制御方法。
【請求項４】
画像ファイルを示す画像情報と、当該画像ファイルの所有者を示す所有者情報と、を含む画像管理情報を記憶する記憶手段を備えた情報処理装置で読み取り実行可能なプログラムであって、
前記情報処理装置を、
前記記憶手段に記憶されている画像情報と、前記画像情報により示される画像ファイルの引継先を示す引継先情報を受け付ける引継先受付手段と、
前記引継先受付手段により前記画像情報と前記引継先情報とを受け付けた場合に、前記引継先受付手段により受け付けた画像情報により示される画像ファイルの所有者を示す、前記画像管理情報に含まれる所有者情報に関連して、前記引継先受付手段により受け付けた引継先情報を設定する引継先設定手段と、
前記記憶手段に記憶された画像管理情報に含まれる画像情報により示される画像ファイルの閲覧要求を受信した場合に、当該画像管理情報に含まれる引継先情報に従って、前記画像ファイルの閲覧の可否を決定する決定手段として機能させることを特徴とするプログラム。
【発明の詳細な説明】
【技術分野】
【０００１】
本発明は、情報処理装置、及びその制御方法、プログラムに関する。
【背景技術】
【０００２】
近年、電子カメラが広く普及し、撮影した写真を電子データ（画像データ）として管理する機会が増加している。また、電子カメラの普及に伴い、写真・動画を記憶するＳＤカード等の記憶媒体の大容量化が進んでおり、これに伴い、記憶媒体に記憶される画像データの数が膨大になってきている。これらの大量の画像データをＰＣ等に転送して、例えば分類毎にフォルダに振り分ける場合、ユーザは各画像データの内容を逐一確認せねばならず、当該振り分け作業に要する時間が増大してしまうという問題があった。
【０００３】
これに対し、例えば、ＰＣに接続された記憶媒体に画像データを転送する場合、当該画像データに付加されたコメント等の情報である付加情報に基づいて画像データを振り分けて転送、保存する技術が公開されている。（特許文献１に公開の技術）。
【０００４】
特許文献１の技術においては、撮像装置から外部記憶装置に画像データを転送する場合に保存先を自動的決定することで、従来に比べて、転送処理、転送後の画像の管理を簡易にしている。
【先行技術文献】
【特許文献】
【０００５】
【特許文献１】特開２００５−２０３９９４号公報
【発明の概要】
【発明が解決しようとする課題】
【０００６】
しかしながら、従来、例えば、自身のクライアント端末や自身がＷＥＢサイト等に登録されている画像ファイル等を他の人に引き継ぐことができなかった。
【０００７】
本発明は、画像ファイルを所有している所有者が、当該画像ファイルを引継先に引き継ぐことができる仕組みを提供することを目的とする。
【課題を解決するための手段】
【０００８】
本発明は、画像ファイルを示す画像情報と、当該画像ファイルの所有者を示す所有者情報と、を含む画像管理情報を記憶する記憶手段と、前記記憶手段に記憶されている画像情報と、前記画像情報により示される画像ファイルの引継先を示す引継先情報を受け付ける引継先受付手段と、前記引継先受付手段により前記画像情報と前記引継先情報とを受け付けた場合に、前記引継先受付手段により受け付けた画像情報により示される画像ファイルの所有者を示す、前記画像管理情報に含まれる所有者情報に関連して、前記引継先受付手段により受け付けた引継先情報を設定する引継先設定手段と、前記記憶手段に記憶された画像管理情報に含まれる画像情報により示される画像ファイルの閲覧要求を受信した場合に、当該画像管理情報に含まれる引継先情報に従って、前記画像ファイルの閲覧の可否を決定する決定手段と、を備えることを特徴とする。
【０００９】
また、本発明は、画像ファイルを示す画像情報と、当該画像ファイルの所有者を示す所有者情報と、を含む画像管理情報を記憶する記憶手段を備えた情報処理装置の制御方法であって、引継先受付手段が、前記記憶手段に記憶されている画像情報と、前記画像情報により示される画像ファイルの引継先を示す引継先情報を受け付ける引継先受付工程と、引継先設定手段が、前記引継先受付工程により前記画像情報と前記引継先情報とを受け付けた場合に、前記引継先受付工程により受け付けた画像情報により示される画像ファイルの所有者を示す、前記画像管理情報に含まれる所有者情報に関連して、前記引継先受付工程により受け付けた引継先情報を設定する引継先設定工程と、決定手段が、前記記憶手段に記憶された画像管理情報に含まれる画像情報により示される画像ファイルの閲覧要求を受信した場合に、当該画像管理情報に含まれる引継先情報に従って、前記画像ファイルの閲覧の可否を決定する決定工程と、を備えることを特徴とする。
【００１０】
また、本発明は、画像ファイルを示す画像情報と、当該画像ファイルの所有者を示す所有者情報と、を含む画像管理情報を記憶する記憶手段を備えた情報処理装置で読み取り実行可能なプログラムであって、前記情報処理装置を、前記記憶手段に記憶されている画像情報と、前記画像情報により示される画像ファイルの引継先を示す引継先情報を受け付ける引継先受付手段と、前記引継先受付手段により前記画像情報と前記引継先情報とを受け付けた場合に、前記引継先受付手段により受け付けた画像情報により示される画像ファイルの所有者を示す、前記画像管理情報に含まれる所有者情報に関連して、前記引継先受付手段により受け付けた引継先情報を設定する引継先設定手段と、前記記憶手段に記憶された画像管理情報に含まれる画像情報により示される画像ファイルの閲覧要求を受信した場合に、当該画像管理情報に含まれる引継先情報に従って、前記画像ファイルの閲覧の可否を決定する決定手段として機能させることを特徴とする。
【発明の効果】
【００１１】
本発明によれば、画像ファイルを所有している所有者が、当該画像ファイルを引継先に引き継ぐことができる。
【図面の簡単な説明】
【００１２】
【図１】本発明の実施形態における、情報処理装置を含むシステム構成の一例を示す図である。
【図２】本発明の実施形態における、各種装置のハードウェア構成の一例を示す図である。
【図３】ポータル画面、資産引継画面、資産引継画面の一例を示す図である。
【図４】引継先の格納場所の指定を受け付ける画面の一例を示す図である。
【図５】友達関係を示す情報と、ＡさんからＢさんに画像ファイルを引き継ぐことを示す図である。
【図６】画像管理情報の一例を示す図である。
【図７】本実施形態の画像管理サーバ２００における制御処理を行うフローチャートの一例を示す図である。
【発明を実施するための形態】
【００１３】
以下、図面を参照して、本発明の実施形態を詳細に説明する。まず図１を参照して、本発明の実施形態における情報処理装置を含むシステムの構成の一例について説明する。図１は、本発明の情報処理装置を含むシステム（情報処理システム）の構成の一例を示す図である。
【００１４】
本発明の情報処理装置を含むシステムは、図１に示すように、クライアントＰＣ１００、画像管理サーバ２００、外部サーバ３００、等を備えて構成されている。ＷＡＮ１０１は上記の各装置を相互に通信可能に接続するためのネットワークである。また、本実施形態において、ＤＶＤ１０２、ＤＶＤ１０３は、画像データを記憶するための記憶媒体の一種として扱う。
【００１５】
クライアントＰＣ１００は、画像データの格納場所を示す情報、また、画像データの送信先を示す情報である画像データの格納場所情報を画像管理サーバ２００に送信する。尚、格納場所情報は、少なくとも、画像データの格納されている場所を示す情報と画像データの送信先（格納される場所）を示す情報との内、どちらかの情報を含めばよいものとする。画像データを送信する場合の送信先は、画像管理サーバ２００であってもよいし、外部サーバ３００であってもよいし、ＤＶＤ１０３であってもよい。本実施例において格納場所情報は、後述する画像管理情報に含まれる。
【００１６】
また、ここでは、前記格納場所情報の示す格納場所に格納されているコンテンツデータの一例として画像データを扱っているが、格納場所情報が示す格納場所に格納されるコンテンツデータは、画像データに限るものではない。例えば、静止画の画像データ、動画データであってもよいし、音楽データであってもよい。またテキストデータ等であってもよい。
【００１７】
格納場所情報とは、当該画像データが現在格納されている場所とは別の場所に送信される場合には、当該送信先を指し、当該画像データが現在格納されている場所から移動しないときは、当該現在格納されている場所を指すものとする。また、格納場所情報とは、例えば、コンテンツデータが格納されている装置の識別情報（ＭＡＣアドレス、ＩＰアドレス、メモリカードの個体識別情報等）、データが格納されている端末内のアドレス、その他、フォルダ名やＵＲＬ等、画像データの格納場所を示す情報であればなんでもよい。
【００１８】
例えば、メモリカードからＰＣへ画像データが移動された場合には、当該画像データの送信元はメモリカードであり、送信先はＰＣ、及びＰＣに接続されたＨＤＤ、ＨＤＤ内のフォルダである。この場合、当該画像データの格納場所情報は、ＰＣの中の、前記画像データが格納されていた場所を指す。ＰＣに接続されたＨＤＤ、ＨＤＤ内のフォルダまで特定可能な情報等、より詳細な格納場所の情報を、前記格納場所情報に含めるようにしてもよい。
【００１９】
また、メモリカードがＰＣに接続されたものの、ＰＣに移動されなかった画像データの格納場所情報は、メモリカードの中の、前記画像データが格納されていた場所を指すものとする。この場合、当該格納場所情報には、メモリカードの個体識別情報が含まれるものとする。
【００２０】
尚、ＤＶＤ１０２、ＤＶＤ１０３には、画像管理サーバ２００に格納された格納場所情報に対応する画像データが記憶されている。実際にＤＶＤ１０２、ＤＶＤ１０３に画像データを書き込む処理を行う処理主体はクライアントＰＣ１００であってもよいし、画像管理サーバ２００であってもよい。
【００２１】
本発明の実施形態においては、ＤＶＤ１０２、ＤＶＤ１０３は、画像管理サーバ２００のＣＰＵ２０１が、クライアントＰＣ１００のからの指示に応じて画像データの書き込みを行うものとする。また、ＤＶＤ１０２は、クライアントＰＣ１００を操作するユーザの管理下にあるものとする。
【００２２】
ＤＶＤ１０３は、未だ前記ユーザの管理下にない記憶媒体であり、画像管理サーバ２００のＣＰＵ２０１による画像データの書き込み、格納が完了した後、前記ユーザに対し、郵送等で送付されるものとする。
【００２３】
画像管理サーバ２００は、クライアントＰＣ１００、外部サーバ３００から前記格納場所情報を受信し、画像データのサムネイル画像と対応付けて、履歴情報として管理する。また、クライアントＰＣ１００からの要求に応じて、画像データを収集し、ＤＶＤ１０２、ＤＶＤ１０３等の記憶媒体に画像データを送信、格納する処理を行う。この場合、画像管理サーバ２００には、画像データをＤＶＤ１０２、ＤＶＤ１０３に格納した履歴が蓄積される。
【００２４】
外部サーバ３００は、画像管理サーバ２００、また、クライアントＰＣ１００から画像管理サーバ２００を経由して画像データを受信し、記憶媒体に記憶する。また、外部装置からの要求に応じて、クライアントＰＣ１００、画像管理サーバ２００等の外部装置に画像データを転送する。
【００２５】
本発明の実施形態の説明においては、ＤＶＤ１０２、ＤＶＤ１０３への画像データの書き込み処理もデータ移動の一種であり、データの送信、転送に含まれるものとして説明する。
【００２６】
また、例えば、前述したとおり、画像管理サーバ２００が、格納場所情報を用いて画像データを外部装置から収集し、ＤＶＤ等に記憶することも考えられる。
【００２７】
尚、本発明の実施形態においては、画像データの格納場所情報は、画像管理サーバ２００において管理されるものとする。当該格納場所情報の送信は、例えば、画像データの記憶された記憶媒体（メモリカード等）がクライアントＰＣ１００に接続された場合や、当該接続を検知して、クライアントＰＣ１００に設定された格納場所情報の送信用アプリケーションが起動した場合に行われるものとする。つまり、画像データ自体を画像管理サーバ２００に送信しなかった場合においても、前記メモリカードに記憶された画像データの格納場所情報は、画像管理サーバ２００に送信される。また、前記メモリカードに記憶された画像データを特定するための情報（例えばサムネイル画像データ）も画像管理サーバ２００に送信される。
【００２８】
ここでいう画像管理アプリケーションとは、クライアントＰＣ１００のＣＰＵ２０１が可搬メモリ等の接続を検知した場合に起動し、該可搬メモリから画像データを取得し、デフォルトに設定された格納場所である初期格納場所に、取得した画像データを記憶する、クライアントＰＣ１００の外部記憶メモリに記憶されたアプリケーションのことである。また、取得した画像データにＩＤを付与するものとする。
【００２９】
例えば、画像データＡが該可搬メモリからクライアントＰＣ１００の初期格納場所（例えばフォルダＡ）に移動した場合、画像データＡに対応する格納場所情報の示す格納場所は、初期格納場所（例えば、フォルダＡ）となる。つまり、クライアントＰＣ１００から画像管理サーバ２００に送信される当該画像データＡの格納場所情報は、初期格納場所を示す。
【００３０】
また、画像データＡがクライアントＰＣ１００の初期格納場所から外部サーバ３００内のフォルダＢに送信される場合、画像管理サーバ２００には、当該画像データＡに対応する格納場所情報であって、外部サーバ３００のフォルダＢを格納場所として示す格納場所情報が送信される。以上が図１の、本発明の実施形態における、情報処理装置を含むシステムの構成の一例についての説明である。
【００３１】
尚、前記初期格納場所は、前記アプリケーションを介して任意に設定可能であるものとする。本実施例においては、前記初期格納場所はクライアントＰＣ１００の外部記憶メモリとするが、クライアントＰＣ１００ではない外部装置の外部記憶メモリ上に当該初期格納場所を設定することも可能である。例えば、画像管理サーバ２００の外部記憶メモリ上に設定してもよいし、外部サーバ３００の外部記憶メモリ上に設定をしてもよい。
【００３２】
次に図２を参照して、図１に示す各種装置のハードウェア構成の一例について説明する。図２は、本発明の実施形態における、各種装置のハードウェア構成の一例を示す図である。
【００３３】
ＣＰＵ２０１は、システムバス２０４に接続される各デバイスやコントローラを統括的に制御する。
【００３４】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００３５】
ＣＰＵ２０１は、処理の実行に際して必要なプログラム等をＲＡＭ２０３にロードして、プログラムを実行することで各種動作を実現するものである。また、入力コントローラ（入力Ｃ）２０５は、キーボード２０９や不図示のマウス等のポインティングデバイスからの入力を制御する。
【００３６】
ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。これらは必要に応じて管理者が使用するものである。本発明には直接関係があるものではない。また、ＣＲＴディスプレイ（ＣＲＴ）２１０は、画像管理サーバ２００、外部サーバ３００においては、必ずしも必要ではない。
【００３７】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２１１へのアクセスを制御する。
【００３８】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００３９】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００４０】
本発明を実現するためのプログラムは外部メモリ２１１に記録されており、必要に応じてＲＡＭ２０３にロードされることによりＣＰＵ２０１によって実行されるものである。さらに、本発明に係わるプログラムが用いる定義ファイル及び各種情報テーブルは外部メモリ２１１に格納されている。以上が図２の、本発明の実施形態における各種装置のハードウェア構成の一例についての説明である。
【００４１】
次に、図７を用いて、本実施形態の画像管理サーバ２００における制御処理を行うフローチャートについて説明する。
【００４２】
図７は、本実施形態の画像管理サーバ２００における制御処理を行うフローチャートの一例を示す図である。
【００４３】
まず、図７に示す各ステップの処理は、画像管理サーバ２００のＣＰＵ２０１により実行され実現される。
【００４４】
画像管理サーバ２００は、本発明の情報処理装置の適用例であり、画像ファイルを示す画像情報と、当該画像ファイルの所有者を示す所有者情報と、を含む画像管理情報を記憶している（記憶手段）。
【００４５】
画像管理サーバ２００は、クライアントＰＣ１００に、記憶している画像ファイルを含む図３の（Ａ）のポータル画面を送信して、クライアントＰＣ１００の表示部に図３の（Ａ）のポータル画面を表示させる。
【００４６】
そして、ユーザにより、図３の（Ａ）のポータル画面に表示されている画像ファイルの選択を受け付け、図３の（Ａ）のポータル画面の資産管理ボタンが押下されると、当該選択された画像ファイルを示す画像情報をクライアントＰＣが画像管理サーバに送信する。
【００４７】
そして、画像管理サーバ２００は、選択された画像情報を受け付ける（ステップＳ７０１）。
【００４８】
そして、画像管理サーバ２００は、図３の（Ｂ）の資産引継画面をクライアントＰＣ１００に送信して、クライアントＰＣ１００の表示部に図３の（Ｂ）の資産引継画面を表示させる。
【００４９】
そして、ユーザは、図３の（Ｂ）の資産引継画面を介して、引継先のユーザを選択して、ＯＫボタンを押下すると、クライアントＰＣ１００は、画像管理サーバ２００に、当該選択された引継先のユーザを示す情報（引継先情報）を送信する。
【００５０】
そして、画像管理サーバ２００は、クライアントＰＣ１００から、当該選択された引継先のユーザを示す情報（引継先情報）を受信する（ステップＳ７０１）。
【００５１】
すなわち、画像ファイルの引継先を示す引継先情報を受け付ける（引継先受付手段）。
【００５２】
そして、画像管理サーバ２００は、ステップＳ７０２において、ステップＳ７０１で、画像情報と引継先情報とを受け付けた場合に、ステップＳ７０１で受け付けた画像情報により示される画像ファイルの所有者を示す、画像管理情報に含まれる所有者情報に関連して、ステップＳ７０１で受け付けた引継先情報を設定する（引継先設定手段）。
【００５３】
例えば、図５に示す友達関係を示す情報を記憶しており、ＡさんからＢさんに画像ファイルを引き継ぐ場合を想定して説明する。
【００５４】
図５は、友達関係を示す情報と、ＡさんからＢさんに画像ファイルを引き継ぐことを示す図である。
【００５５】
例えば、図６に示すように、Ａさんのマスタ（画像管理情報）には、画像ファイル（Ｓａｍ００１）を引き継ぐ前には、画像ファイル（Ｓａｍ００１）が格納場所ＰＣ＿Ａ、所有者がＡさんであることを示す情報が含まれており、このＡさんのマスタ（画像管理情報）は、画像管理サーバ２００のメモリに記憶されている。
【００５６】
ステップＳ７０２では、このＡさんのマスタ（画像管理情報）に、図３の（Ｂ）で選択された引継先を図６のように追加する。
【００５７】
次に、画像管理サーバ２００は、引継先情報を受け付けた画像情報により示される画像ファイルが、図３の（Ｂ）で受け付けた引継先情報により示される引継先に格納される格納場所情報を受け付ける（格納場所受付手段）。
【００５８】
具体的には、図４に示す画面をクライアントＰＣに送信して、表示し、新たな格納場所の情報を受け付ける。
【００５９】
そして、画像管理サーバ２００は、ステップＳ７０１で引継先情報を受け付けた画像情報により示される画像ファイルにおける、記憶された画像管理情報に含まれる格納場所情報を、ステップＳ７０３で受け付けた格納場所情報に設定する（格納場所設定手段）。
【００６０】
具体的には、図６のＣさんのマスタのように、図６のＣさんのマスタの格納場所を、ステップＳ７０３で受け付けた格納場所情報に設定する。
【００６１】
そして、画像管理サーバ２００は、外部の装置から、画像ファイルの閲覧要求を受け付け（ステップＳ７０５）、画像ファイルの閲覧要求を受け付けと判定された場合（ステップＳ７０６：ＹＥＳ）、画像管理情報に含まれる引継先情報に従って、画像ファイルの閲覧の可否を決定する（ステップＳ７０７）（決定手段）。
【００６２】
そして、ステップＳ７０７で閲覧が可能な画像ファイルを、閲覧要求を受け付けた装置に送信する（ステップＳ７０８）。
【００６３】
以上、本発明によれば、画像ファイルを所有している所有者が、当該画像ファイルを引継先に引き継ぐことができる。
【００６４】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６５】
この場合、記憶媒体から読み出されたプログラムコード自体が前述した実施形態の機能を実現することになり、プログラムコード自体及びそのプログラムコードを記憶した記憶媒体は本発明を構成することになる。
【００６６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のカード、ＲＯＭ等を用いることができる。
【００６７】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。このプログラムコードを読み出し実行可能な情報処理装置（コンピュータ）が前述した実施形態の機能を実現する。
【００６８】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００６９】
１００  クライアントＰＣ
２００  画像管理サーバ
３００  外部サーバ
１０１  ＷＡＮ
１０２  ＤＶＤ
１０３  ＤＶＤ
【図１】
2014131235.tif 000003
【図２】
2014131235.tif 000004
【図３】
2014131235.tif 000005
【図４】
2014131235.tif 000006
【図５】
2014131235.tif 000007
【図６】
2014131235.tif 000008
【図７】
2014131235.tif 000009